(57)【特許請求の範囲】
【請求項１】
原稿搬送部と、
前記原稿搬送部に設けられている排紙トレイと、
前記排紙トレイと対向して前記原稿搬送部に設けられており、前記原稿搬送部が傾いたときに下側となる側に前記排紙トレイとの間に隙間を形成する原稿トレイと、
前記排紙トレイの上面から突出する部材であって、前記原稿搬送部が傾くと前記排紙トレイから前記原稿トレイ側に倒れてくる原稿の、前記原稿搬送部が載置される原稿カバーを開閉するための回転軸に近い一辺を支持することにより、前記原稿の移動を阻止する規制部材と、
前記原稿トレイの前記排紙トレイとの対向面である裏面から前記排紙トレイ側に向かって突出する板状部材であり、前記原稿搬送部が傾くと前記排紙トレイから前記原稿トレイ側に倒れてくる原稿の撓んだ部分に当接することで前記排紙トレイにある原稿が前記隙間から落下することを防止するように設けられた落下防止部材と、
を備える自動原稿搬送装置。
【請求項２】
前記落下防止部材は、前記原稿搬送部からの原稿の排出方向に沿って延在する、請求項１に記載の自動原稿搬送装置。
【請求項３】
前記落下防止部材は、前記原稿トレイの裏面のうち、前記回転軸側に設けられている請求項１又は２に記載の自動原稿搬送装置。
【請求項４】
前記規制部材は、前記落下防止部材よりも前記回転軸側に設けられる、請求項１〜３のいずれかに記載の自動原稿搬送装置。
【請求項５】
原稿が載置される原稿台と、
前記原稿台に対して開閉可能である原稿カバーと、
前記原稿カバー上に載置されている請求項１〜４のいずれかに記載の自動原稿搬送装置と、
を備える原稿読取装置。
【発明の詳細な説明】
【技術分野】
【０００１】
本発明は、自動原稿搬送装置及び原稿読取装置に関する。
【背景技術】
【０００２】
印刷等が可能な複合機は、用紙を格納するための用紙トレイと、用紙トレイの上方の原稿読取装置と、を含む。原稿読取装置は、原稿の画像を読み取るための原稿読取部と、原稿台と、原稿カバーと、自動原稿搬送装置と、を含む。原稿台は原稿が載置される台である。原稿カバーは、原稿台の上部に設けられており、原稿台に載置された原稿を押さえる。ユーザが原稿台に原稿を載置して原稿カバーを閉じ、次に所定のボタンを操作することで、原稿読取部により原稿の画像を読み取ることができる。
また、自動原稿搬送装置は、原稿を自動搬送するための原稿搬送部と、原稿搬送部に原稿を供給するための原稿トレイと、排紙トレイと、を含む。原稿読取装部で原稿の読み取りを行う別の方法としては、ユーザが読み取りを行うべき原稿を原稿トレイに載置して所定のボタンを操作する。これにより、原稿搬送部は原稿を原稿読取部に搬送し、原稿読取部が原稿の画像を読み取る。その後、原稿は、原稿カバー上部の排紙トレイに排出される。
【０００３】
排紙トレイに原稿が残されたまま原稿カバーが開かれると、排紙トレイにある原稿は、排紙トレイと原稿トレイとの隙間から落下することがある。特許文献１には、原稿カバーの開閉に応じて動作する原稿押圧部材が原稿カバーに設けられており、原稿カバーが開かれれば、原稿押圧部材の突起により原稿が押圧される構成が開示されている。
【先行技術文献】
【特許文献】
【０００４】
【特許文献１】特開平９−６５０２９号公報
【発明の概要】
【発明が解決しようとする課題】
【０００５】
従来の構成では、原稿押圧部材は、原稿カバーに連動して動作することが可能なように原稿カバーに設けられる必要がある。そのためには、原稿カバーの構造の変更、原稿押圧部材と原稿カバーとの連動動作の調整などが必要であり、製造工程が増加し、またその構造も複雑となっている。
【０００６】
本発明の課題は、原稿の落下の防止を簡単な構成で実現することにある。
【課題を解決するための手段】
【０００７】
以下に、課題を解決するための手段として複数の態様を説明する。これら態様は、必要に応じて任意に組み合せることができる。
【０００８】
本発明の一見地に係る自動原稿搬送装置は、原稿搬送部と、排紙トレイと、原稿トレイと、を備えている。排紙トレイは原稿搬送部に設けられている。原稿トレイは、排紙トレイと対向して原稿搬送部に設けられており、排紙トレイとの対向面である裏面に排紙トレイにある原稿の落下を防止するための落下防止部材を含む。
【０００９】
ユーザが原稿トレイに原稿を載置して所定のボタンを押せば、原稿搬送部は、原稿トレイから原稿を取り込み、排紙トレイに原稿を排出する。排紙トレイに原稿を載置したままで排紙トレイを傾ければ、排紙トレイにある原稿には、その自重によって、排紙トレイと原稿トレイとの間の隙間から落下する方向に力が作用する。上記原稿トレイには裏面に落下防止部材が設けられているので、このときに排紙トレイの原稿が落下防止部材により支持される。そのため、排紙トレイと原稿トレイとの隙間から原稿が落下するのを防止できる。
なお、落下防止部材は、例えば、落下防止部材そのものも例えば板状のプレートなどの簡易な構成であり、また、原稿トレイの裏面に取り付けるだけでよい。したがって、簡単な構成を用いて原稿の落下を防止できる。
【００１０】
自動原稿搬送装置では、落下防止部材は、原稿トレイの裏面から、排紙トレイ側に向かって突出して形成されていてもよい。
落下防止部材は、突出して形成されているので、排紙トレイから原稿トレイ側に撓んで倒れてきた原稿を支持できる。
【００１１】
自動原稿搬送装置では、落下防止部材は、原稿トレイの裏面のうち、前記原稿搬送部が載置される原稿カバーを開閉するための回転軸側に設けられていてもよい。
原稿カバーが回転軸を中心に回転して開けられれば、排紙トレイ上の原稿は撓みながら原稿トレイに倒れかかる。このとき、原稿には、原稿カバーの回転軸に遠い側よりも近い側により大きな自重が作用する。よって、落下防止部材が、より大きな自重が作用する回転軸側に設けられることで、排紙トレイから落下しようとする原稿を効率よく支持できる。つまり、落下防止部材の数が少なくても、確実に原稿の落下を防止できる。
【００１２】
自動原稿搬送装置では、排紙トレイは、原稿の移動を阻止する規制部材含んでいてもよい。
原稿カバーが回転軸を中心に回転して開けられれば、排紙トレイ上の原稿は、回転軸側に近い第１辺が規制部材により支持される。このとき、原稿の第１辺と第１辺と対向する第２辺との間の紙面は、撓んだ状態となり、撓みの概ね頂点付近が落下防止部材により支持される。このように、規制部材は、落下防止部材とともに、原稿の落下を阻止する。
【００１３】
原稿読取装置は、原稿台と、原稿カバーと、前述のいずれかに記載の自動原稿搬送装置と、を備えている。原稿台には原稿が載置される。原稿カバーは、原稿台に対して開閉可能である。自動原稿搬送装置は原稿カバー上に載置されている。
【００１４】
ユーザが原稿トレイに原稿を載置して所定のボタンを押せば、原稿搬送部は、原稿トレイの原稿を取り込み、原稿読取装置内の原稿読取部に搬送する。原稿読取部により読み取りが終わった原稿は、排紙トレイに排出される。排紙トレイに原稿を載置したままで原稿カバーを開けば、排紙トレイは原稿カバーに設けられているので、排紙トレイは原稿カバーと同様に原稿台に対して傾斜する。このとき、排紙トレイにある原稿には、その自重によって、排紙トレイと原稿トレイとの間の隙間から落下する方向に力が作用する。上記原稿トレイには裏面に落下防止部材が設けられているので、このときに排紙トレイの原稿が落下防止部材により支持される。そのため、排紙トレイと原稿トレイとの隙間から原稿が落下するのを防止できる。
なお、落下防止部材は、例えば、落下防止部材そのものも例えば板状のプレートなどの簡易な構成であり、また、原稿トレイの裏面に取り付けるだけでよい。したがって、簡単な構成を用いて原稿の落下を防止できる。
【発明の効果】
【００１５】
本発明に係る自動原稿搬送装置及び原稿読取装置は、原稿の落下の防止を簡単な構成で実現できる。
【図面の簡単な説明】
【００１６】
【図１】複合機の外観構成を示す斜視図である。
【図２】ユーザの立ち位置側から見た複合機上部の正面図である。
【図３】原稿トレイの裏面の構成図である。
【図４】原稿の排出方向から見た複合機上部の側面図である。
【図５】原稿カバーが開いた状態となっている複合機の斜視図である。
【図６】原稿が落下防止部材により支持される様子を複合機の側面から見た説明図である。
【図７】原稿が規制部材により支持される様子を複合機の側面から見た説明図である。
【図８】原稿トレイの裏面を示す別の構成図である。
【発明を実施するための形態】
【００１７】
（１）複合機の全体構成
図１は、複合機の外観構成を示す斜視図である。
複合機１００は、例えば印刷、ファクシミリ通信及び原稿読取機能など複数の機能を有する装置である。複合機１００は、上部に原稿読取装置１００ａを含み、下部に用紙トレイ９を含む。また、原稿読取装置１００ａは、例えば原稿読取部１、原稿台２、原稿カバー３、操作パネル８及び自動原稿搬送装置１００ｂなどを含む。さらに、自動原稿搬送装置１００ｂは、例えば排紙トレイ４、原稿搬送部５、原稿トレイ６及びガイド７などを含む。これらの構成について以下に説明する。
原稿読取部１の上面に原稿を載置するための原稿台２が設けられている。原稿台２は例えばガラス面から形成されており、原稿読取部１は原稿台２を介して原稿に光を照射して走査することにより画像の読み取りを行う。あるいは、原稿読取部１は、後述の原稿搬送部５から搬送される原稿に光を照射することにより画像の読み取りを行う。
【００１８】
原稿台２上には、原稿台２に載置された原稿を押さえるための原稿カバー３が設けられている。原稿カバー３は、回転軸を中心として開閉可能に形成されており、ユーザは原稿カバー３を開いて原稿台２に原稿を載置し、原稿台２上の原稿を押さえるために原稿カバー３を閉じる。また、原稿の読み取りが終了した後には、ユーザは原稿カバー３を開いて原稿台２から原稿を除去可能である。原稿カバー３は、例えば矩形状であり、回転軸となる機構は、ユーザの立ち位置側の辺と対向する辺の側に設けられている。よって、ユーザは、立ち位置側から回転軸を中心として原稿カバー３を奥側に向かって持ち上げるようにして原稿カバー３を開くことができる。
【００１９】
原稿カバー３上には、原稿搬送部５と、原稿搬送部５に原稿を供給するための原稿トレイ６と、が設けられている。原稿搬送部５は、ユーザが原稿トレイ６に原稿を載置して所定のボタンを押せば、原稿トレイ６から原稿読取部１に原稿を搬送する。原稿読取部１は、搬送された原稿の画像を読み取る。原稿トレイ６には、ガイド７が設けられており、ユーザがガイド７を調整することにより原稿を位置決めすることが可能である。また、図１では図示されていないが、原稿トレイ６の裏面には、原稿トレイ６から排紙トレイ４側に突出している落下防止部材１０ａが設けられている。
【００２０】
原稿トレイ６と原稿カバー３との間には、さらに、原稿搬送部５から排出された原稿が載置される排紙トレイ４が設けられている。図１では、原稿カバー３の上面が排紙トレイ４を成しているが、原稿カバー３とは別に排紙トレイを設けてもよい。
これらの原稿搬送部５、原稿トレイ６及び排紙トレイ４等は、原稿カバー３とともに動くように取り付けられている。例えば、それぞれ別の構成物である原稿搬送部５、原稿トレイ６及び排紙トレイ４が、互いに係合し合うことで固定されている。あるいは、原稿搬送部５、原稿トレイ６及び排紙トレイ４等の少なくとも２つ以上の構成物が一体不可分に形成されていてもよい。例えば、原稿トレイ６及び原稿搬送部５が一体不可分に形成されていてもよい。このような構成により、原稿搬送部５、原稿トレイ６及び排紙トレイ４等は、原稿カバー３の開閉時には原稿カバー３と一体に動く。
【００２１】
複合機１００のユーザの立ち位置側には操作パネル８が設けられており、ユーザは操作パネル８内の操作ボタン及び液晶パネル等を操作することにより、所望の動作を複合機１００に実行させる。また、複合機１００の下部には、用紙を格納するための用紙トレイ９が備えられており、各種サイズの用紙が格納される。
【００２２】
（２）落下防止部材
（２−１）落下防止部材の概要
図２はユーザの立ち位置側から見た複合機の正面図であり、図３は原稿トレイの裏面の構成図であり、図４は原稿の排出方向から見た複合機上部の側面図である。
【００２３】
原稿トレイ６の原稿が載置される面とは反対側の裏面である底部６ｃには、底部６ｃから突出する落下防止部材１０ａが設けられている。つまり、落下防止部材１０ａは、原稿トレイ６から排紙トレイ４に向かって所定の高さで突出して形成されている。また、落下防止部材１０ａは、原稿トレイ６からの原稿の取込方向、あるいは、原稿搬送部５からの原稿の排出方向に沿って延在する板状の部材により形成されている。図３の構成では、特に、落下防止部材１０ａは、原稿トレイ６の長手方向に沿って形成されている。また、落下防止部材１０ａは、その板状の面部分が原稿トレイ６の面部分と概ね直交するように取り付けられている。
【００２４】
図３に示すように、原稿トレイ６には係止部６ａ、６ｂが設けられており、係止部６ａ、６ｂを介して原稿トレイ６が原稿搬送部５に取り付けられる。係止部６ｂは係止部６ａよりも原稿カバー３の回転軸側に設けられており、落下防止部材１０ａは、係止部６ａよりも係止部６ｂ側に設けられている。
【００２５】
（２−２）落下防止部材の使用状態
図５は原稿カバーが開いた状態となっている複合機の斜視図であり、図６は原稿が落下防止部材により支持される様子を複合機の側面から見た説明図である。
【００２６】
ユーザが原稿トレイ６に原稿を載置して操作パネル８の所定のボタンを押せば、原稿搬送部５は、原稿トレイ６から原稿読取部１に原稿を搬送する。原稿読取部１により読み取りが終わった原稿は排紙トレイ４に排出される。ここで、排紙トレイ４に原稿を載置したままで、図５に示すように原稿カバー３を開けば、排紙トレイ４は原稿カバー３と同様に原稿台２に対して傾斜し、排紙トレイ４上の原稿は落下する方向に動く。つまり、図６に示すように、排紙トレイ４上の原稿２０には、その自重によって排紙トレイ４と原稿トレイ６との間の隙間から落下する方向に力が作用し、原稿２０は撓みつつ原稿トレイ６側に倒れかかるようになる。
【００２７】
本実施形態の原稿トレイ６の裏面である底部６ｃには、落下防止部材１０ａが設けられているので、原稿トレイ６側に撓んできた原稿２０を落下防止部材１０ａが支持する。よって、原稿カバー３を開いた場合であっても、排紙トレイ４の原稿２０が、排紙トレイ４と原稿トレイ６との隙間から落下するのを防止できる。
なお、原稿２０は、落下防止部材１０ａによって支持されるだけでなく、排紙トレイ４及び原稿トレイ６によっても支持されてよい。つまり、図６に示すように、原稿２０のうち回転軸に近い第１辺２０ａが排紙トレイ４の上面に支持され、原稿２０の第１辺２０ａと対向する第２辺２０ｂが原稿トレイ６の裏面に支持され、原稿２０のうち撓みの大きな部分２０ｃが落下防止部材１０ａにより支持され得る。
【００２８】
このような落下防止部材１０は、落下防止部材１０そのものも例えば板状のプレートなどの簡易な構成であり、また、原稿トレイ６の裏面に取り付けるだけでよい。したがって、簡単な構成で原稿の落下を防止できる。
【００２９】
（２−３）落下防止部材の位置及び大きさ
落下防止部材１０ａは、前述のように排紙トレイ４に原稿が載置されたままで原稿カバー３が開いた場合に、排紙トレイ４から原稿トレイ６に撓んで倒れかかってくる原稿２０を支持可能な位置及び大きさで設けられている。
【００３０】
例えば、図３、図４に示すように、落下防止部材１０ａは、原稿トレイ６の裏面のうち中央部よりも原稿カバー３の回転軸側に設けられている。なお、図３において、係止部６ｂは係止部６ａよりも原稿カバー３の回転軸側に設けられており、落下防止部材１０ａは、係止部６ａよりも係止部６ｂ側に設けられている。このような位置に落下防止部材１０ａを設けることで、図６に示すように排紙トレイ４と原稿トレイ６との間から落下しようとする原稿２０を、その撓みの概ね頂点で支持できる。原稿２０の撓みの頂点とは、例えば、原稿２０に、その自重により落下しようとする力が最も作用する地点である。この撓みの頂点を落下防止部材１０ａにより支持することにより、効率よく原稿２０の落下を防止できる。つまり、より大きな自重が作用する地点に落下防止部材１０ａを設けることで、落下防止部材１０ａの数が少なくても確実に原稿２０の落下を防止できる。
【００３１】
より具体的には、図４に示すように、落下防止部材１０ａは、排紙トレイ４の開口幅Ｗ２に対して、原稿カバー３の回転軸側からＷ１の位置に設けられる。ここで、排紙トレイ４の開口幅Ｗ２は、例えば排紙トレイ４の側壁４ｂ、４ｃの端面により定義される。開口幅Ｗ２及び位置Ｗ１の始点が回転軸側の側壁４ｃの端面により定義され“０”であれば、対向する側壁４ｂの端面の位置がＷ２となる。ここで、位置Ｗ１が、排紙トレイ４の開口幅Ｗ２に対して、回転軸側から１０〜６０％の範囲に入るようにすれば、効率よく原稿２０の落下を防止することができ好ましい。なお、開口幅Ｗ２に対して回転軸側から５０％の位置とは、排紙トレイ４の中心を意味する。なお、原稿カバー３の回転軸側とは、図４において排紙トレイ４の側壁４ｃ側である。
【００３２】
また、落下防止部材１０ａは、排紙トレイ４から原稿トレイ６側に撓んで倒れてきた原稿２０を支持可能な高さに形成されている。例えば、図２、図４に示すように、落下防止部材１０ａの高さＨ１が、原稿トレイ６の底部６ｃと排紙トレイ４の上面４ａとの開口幅Ｈ２の１０〜９０％に設計されると好ましい。ここで、落下防止部材１０ａの高さＨ１は、例えば図２に示すように、複合機１００の正面から見た原稿トレイ６の底部６ｃから落下防止部材１０ａが突出している高さである。また、開口幅Ｈ２は、複合機１００の正面から見て、原稿トレイ６の底部６ｃと、排紙トレイ４の上面４ａと、により定義される幅である。なお、落下防止部材１０ａの高さは、排紙トレイ４から原稿が排出されるのを妨げない高さが好ましく、更には、ユーザが排紙トレイ４から原稿を取り出すのに邪魔にならない程度の高さであるのが好ましい。
【００３３】
落下防止部材１０ａの高さＨ１は、それぞれが同一であってもよいが、原稿２０の落下を防止できればよく、同一である必要はない。例えば、原稿トレイ６の傾斜に応じて高さＨ１が変化してもよい。図２の場合には、原稿トレイ６は、原稿搬送部５から離れるほど開口幅Ｈ２が大きくなるように傾斜している。落下防止部材１０ａは、原稿トレイ６の底部６ｃから突出し始める地点Ｂから、頂点Ａまでは、その高さＨ１が徐々に大きくなるように形成されている。なお、排紙トレイ４からの原稿２０の取り出しを容易にし、かつ、安全にするために、頂点Ａから原稿搬送部５から離れる側に向かって、高さＨ１は徐々に小さくなるように形成されている。結局、地点Ｂから頂点Ａまでは、落下防止部材１０ａと排紙トレイ４との距離（Ｈ２−Ｈ１）は概ね一定に設計され得る。これにより、排紙トレイ４から原稿トレイ６に撓んで倒れかかってくる原稿２０を、落下防止部材１０ａの一点により支持するのではなく、落下防止部材１０ａの地点Ｂから頂点Ａまでの直線ラインによって支持できる。そのため、より確実に原稿の落下を防止できる。
【００３４】
（３）実施形態の作用効果
上記実施形態は、下記のように表現可能である。
【００３５】
（Ａ）自動原稿搬送装置１００ｂは、原稿搬送部５と、排紙トレイ４と、原稿トレイ６と、を備えている。排紙トレイ４は原稿搬送部５に設けられている。原稿トレイ６は、排紙トレイ４と対向して原稿搬送部５に設けられており、排紙トレイ４との対向面である裏面に排紙トレイ４にある原稿の落下を防止するための落下防止部材１０（１０ａ、１０ｂ・・・）を含む。
ユーザが原稿トレイ６に原稿を載置して所定のボタンを押せば、原稿搬送部５は、原稿トレイ６から原稿を取り込み、排紙トレイ４に原稿を排出する。排紙トレイ４に原稿を載置したままで排紙トレイ４を傾ければ、排紙トレイ４にある原稿には、その自重によって、排紙トレイ４と原稿トレイ６との間の隙間から落下する方向に力が作用する。上記自動原稿搬送装置１００ｂの原稿トレイ６には裏面に落下防止部材１０（１０ａ、１０ｂ・・・）が設けられているので、このときに排紙トレイ４の原稿が落下防止部材１０（１０ａ、１０ｂ・・・）により支持される。そのため、排紙トレイ４と原稿トレイ６との隙間から原稿が落下するのを防止できる。
なお、落下防止部材１０（１０ａ、１０ｂ・・・）は、例えば、落下防止部材１０（１０ａ、１０ｂ・・・）そのものも例えば板状のプレートなどの簡易な構成であり、また、原稿トレイ６の裏面に取り付けるだけでよい。したがって、簡単な構成を用いて原稿の落下を防止できる。
【００３６】
（Ｂ）自動原稿搬送装置１００ｂでは、落下防止部材１０（１０ａ、１０ｂ・・・）は、原稿トレイ６の裏面から、排紙トレイ４側に向かって突出して形成されている。
突出して形成された落下防止部材１０（１０ａ、１０ｂ・・・）によって、排紙トレイ４から原稿トレイ６側に撓んで倒れてきた原稿を支持できる。
【００３７】
（Ｃ）自動原稿搬送装置１００ｂでは、落下防止部材１０（１０ａ、１０ｂ・・・）は、原稿トレイ６の裏面のうち、原稿搬送部５が載置される原稿カバー３を開閉するための回転軸側に設けられている。
原稿カバー３が回転軸を中心に回転して開けられれば、排紙トレイ４上の原稿は撓みながら原稿トレイ６に倒れかかる。このとき、原稿には、原稿カバー３の回転軸に遠い側よりも近い側により大きな自重が作用する。よって、落下防止部材１０（１０ａ、１０ｂ・・・）、より大きな自重が作用する回転軸側に設けられることで、排紙トレイ４から落下しようとする原稿を効率よく支持できる。つまり、少ない落下防止部材１０（１０ａ、１０ｂ・・・）であっても確実に原稿の落下を防止できる。
【００３８】
（Ｄ）自動原稿搬送装置１００ｂでは、排紙トレイ４は、原稿の移動を阻止する規制部材１２を含む。
原稿カバー３が回転軸を中心に回転して開けられれば、排紙トレイ４上の原稿は、その回転軸側に近い第１辺が規制部材１２により支持される。このとき、原稿の第１辺と、第１辺と対向する第２辺と、の間の紙面は、撓んだ状態となり、撓みの概ね頂点付近が落下防止部材１０（１０ａ、１０ｂ・・・）により支持される。このように、規制部材１２は、落下防止部材１０（１０ａ、１０ｂ・・・）とともに、原稿の落下を阻止する。
【００３９】
（Ｅ）原稿読取装置１００ａは、原稿台２と、原稿カバー３と、前述のいずれかに記載の自動原稿搬送装置Ｆと、を備えている。原稿台２には原稿が載置される。原稿カバー３は、原稿台２に対して開閉可能である。自動原稿搬送装置１００ｂは原稿カバー３上に載置されている。
ユーザが原稿トレイ６に原稿を載置して所定のボタンを押せば、原稿搬送部５は、原稿トレイ６の原稿を取り込み、原稿読取装置１００ａ内の原稿読取部１に搬送する。原稿読取部１により読み取りが終わった原稿は、排紙トレイ４に排出される。排紙トレイ４に原稿を載置したままで原稿カバー３を開けば、排紙トレイ４は原稿カバー３に設けられているので、排紙トレイ４は原稿カバー３と同様に原稿台２に対して傾斜する。このとき、排紙トレイ４にある原稿には、その自重によって、排紙トレイ４と原稿トレイ６との間の隙間から落下する方向に力が作用する。上記自動原稿搬送装置１００ｂの原稿トレイ６には裏面に落下防止部材１０（１０ａ、１０ｂ・・・）が設けられているので、このときに排紙トレイ４の原稿が落下防止部材１０（１０ａ、１０ｂ・・・）により支持される。そのため、排紙トレイ４と原稿トレイ６との隙間から原稿が落下するのを防止できる。
なお、落下防止部材１０（１０ａ、１０ｂ・・・）は、例えば、落下防止部材１０（１０ａ、１０ｂ・・・）そのものも例えば板状のプレートなどの簡易な構成であり、また、原稿トレイ６の裏面に取り付けるだけでよい。したがって、簡単な構成を用いて原稿の落下を防止できる。
【００４０】
（４）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００４１】
（ａ）前記実施形態では、原稿トレイ６の裏面に落下防止部材１０ａを設けているが、さらに、原稿の落下を防止するための規制部材１２が排紙トレイ４の上面に設けられてもよい。
図７は、原稿が規制部材により支持される様子を複合機の側面から見た説明図である。図７に示すように排紙トレイ４の上面に、原稿トレイ６に向かって突出する規制部材１２が設けられている。図５に示すように排紙トレイ４に原稿を載置したままで原稿カバー３が開かれれば、原稿２０は撓みつつ原稿トレイ６側に倒れかかるようになる。このとき、原稿２０の回転軸に近い第１辺２０ａが排紙トレイ４上の規制部材１２により支持され、原稿２０の第１辺と対向する第２辺２０ｂが原稿トレイ６の裏面に支持され、原稿２０のうち撓みの大きな部分２０ｃが落下防止部材１０ａにより支持される。よって、規制部材１２と落下防止部材１０ａとの協働により原稿の落下をより確実に阻止できる。
規制部材１２は、原稿２０のうち、原稿カバー３の回転軸に近い第１辺２０ａを支持するために、落下防止部材１０ａよりも回転軸側に設けられているのが好ましい。
また、規制部材１２は、例えば原稿搬送部５からの原稿の排出方向に沿って延在する板状の部材により形成されていてもよいし、原稿２０の第１辺２０ａの一部のみを支持する小片からなる部材により形成されていてもよい。
なお、原稿カバー３が排紙トレイ４も兼ねている場合には、原稿カバー３上に規制部材１２を設ける。
【００４２】
（ｂ）前記実施形態の画像形成装置では、１つの落下防止部材１０ａのみが設けられているが、２以上の落下防止部材１０ａが設けられてもよい。図８は、原稿トレイ６の裏面を示す別の構成図である。図８に示すように、例えば２つの落下防止部材１０ａ及び１０ｂが設けられている。また、図８に示すように、原稿トレイ６の強度を高めるために、落下防止部材１０ａ、１０ｂとは別に、補強部材１１ａ、１１ｂ、１１ｃ等が設けられてもよい。補強部材１１ａ、１１ｂ、１１ｃは原稿トレイ６の裏面から突出していない。
【００４３】
（ｃ）前記実施形態では、落下防止部材１０ａの材質は特に限定されていないが、落下防止部材１０ａは、原稿トレイ６と同一の材質によって形成されてもよい。あるいは、落下防止部材１０ａは、原稿トレイ６とは異なる材質によって形成されてもよく、例えば摩擦力の大きなゴム状部材等から形成されていてもよい。落下防止部材１０ａと原稿２０との摩擦力を大きくすることで、原稿２０の落下を効率よく防止できる。
【産業上の利用可能性】
【００４４】
本発明は、画像形成装置に広く適用できる。
【符号の説明】
【００４５】
１        原稿読取装置      
２        原稿台     
３        原稿カバー 
４        排紙トレイ 
４ａ      底面
４ｂ、４ｃ        側壁
５        自動原稿搬送装置  
６        原稿トレイ 
６ａ、６ｂ        係止部    
６ｃ      底部
７        ガイド     
８        操作パネル 
９        用紙トレイ 
１０ａ、１０ｂ      落下防止部材   
１１ａ、１１ｂ、１１ｃ      補強部材      
１２        規制部材 
２０        原稿
２０ａ      第１辺
２０ｂ      第２辺
２０ｃ      撓みの大きな部分
１００      複合機
１００ａ    原稿読取装置    
１００ｂ    自動原稿搬送装置
【図１】
0005780061.tif 000002
【図２】
0005780061.tif 000003
【図３】
0005780061.tif 000004
【図４】
0005780061.tif 000005
【図５】
0005780061.tif 000006
【図６】
0005780061.tif 000007
【図７】
0005780061.tif 000008
【図８】
0005780061.tif 000009